(57)【要約】【課題】安全性と取扱い作業性を向上させるとともに、リサイクル性に優れたラップフィルム収容ケースを提供する。【解決手段】ラップフィルム収容ケースＣとして、ラップフィルムロールＲを回転可能に支持するケース本体１０と、ケース本体１０に回動可能に連結し、フィルム引出口１３を開閉するフタ２０と、フタ２０の内側に着脱可能に装着するカッターユニット３０と、フタ２０の外壁面に回動自在に支持され、カッター３１の刃部３３，３４を覆い隠すとともにフタ２０とケース本体１０とを固定する機能を有するカバー４０と、を具備して構成する。【選択図】　図１
2004123196.tif 000002
【特許請求の範囲】
【請求項１】
巻芯にラップフィルムがロール状に巻装されたラップフィルムロールを内部に収容するケース本体と、
上記ケース本体に開口され、ケース本体内部のラップフィルムをケース本体外部へと引き出すためのフィルム引出口と、
上記ケース本体に回動可能に連結され、フィルム引出口を開閉するフタと、
上記フタの開口側縁部に設けられ、フィルム引出口から引き出されたラップフィルムをその幅方向に切断するカッターと、
上記フタの外壁面に回動自在に支持され、カッターの刃部を覆い隠すとともにフタとケース本体とを固定する機能を有するカバーと、
を具備することを特徴とするラップフィルム収容ケース。
【請求項２】
上記カバーは、カバーとフタとの接合面に形成された凸条のクリック機構により、カバーのフタに対する開閉いずれの状態においても所定の角度で保持される構造であることを特徴とする請求項１記載のラップフィルム収容ケース。
【請求項３】
上記ケース本体は、内部側壁面の対向する位置に膨出成形された一対のボス部によりラップフィルムロールを回転可能に支持する構造であることを特徴とする請求項１記載のラップフィルム収容ケース。
【請求項４】
上記ボス部の形状は、ケース本体底面側が切り欠かれた半円状に形成されていることを特徴とする請求項３記載のラップフィルム収容ケース。
【請求項５】
上記ケース本体は、ラップフィルムがケース本体内に戻ることを防止するために、ケース本体の開口側縁部にラップフィルムを貼着させておくストッパー機能を有することを特徴とする請求項１記載のラップフィルム収容ケース。
【請求項６】
上記ケース本体には、その開口側縁部の中央に略半円状に切り欠かれた指抜部が設けられていることを特徴とする請求項５記載のラップフィルム収容ケース。
【請求項７】
上記カッターは、フタに対して着脱可能に装着されていることを特徴とする請求項１記載のラップフィルム収容ケース。
【請求項８】
上記カッターとフタとの着脱構造は、貫通孔が形成されたカッターと、カッターの片面側に配置され、貫通孔を挿通する突起部を有するプレートと、カッターの反対面側に配置され、貫通孔から突出した突起部先端に嵌合する受け孔を有するフタと、を有する構造であることを特徴とする請求項７記載のラップフィルム収容ケース。
【請求項９】
上記カッターは、ラップフィルムの全幅以上の長さを有する長尺状に成形され、その刃部がカッター本体の全長に沿って両側に設けられていることを特徴とする請求項７または請求項８記載のラップフィルム収容ケース。
【請求項１０】
上記ラップフィルム収容ケースの材料は、上記カッターが金属製であり、それ以外の構成部品は合成樹脂製であることを特徴とする請求項１乃至請求項９記載のラップフィルム収容ケース。
【発明の詳細な説明】
【０００１】
【発明の属する技術分野】
本発明は、食品包装用のラップフィルムの収容ケースに関するものである。
【０００２】
【従来の技術】
従来、食品の包装等に使用されるラップフィルムは、巻芯にロール状に巻装されてなり、ロール状に巻装されたラップフィルムロールが紙製のケースに収容されている（例えば、特許文献１参照）。
【０００３】
【特許文献１】
特開平９−３１５４３９号公報（第５頁、図１）
【０００４】
例に挙げたラップフィルム収容ケースは、ケース本体内部に天板を有し、天板の下部にラップフィルムロールが回転可能に支持されている。ラップフィルムは天板の下部側から引出口を経て天板の表面側に引き出され、天板の表面に設けられたカッターで所望の長さに切断して使用される。
【０００５】
ところが、このような構造のラップフィルム収容ケースによると、以下のような問題があった。
【０００６】
（１）安全性の問題
使用時にはカッターの刃先が天板上にむき出しの状態であるため、誤って指先を傷付けたりする危険性がある。また、カッターの刃先に水分が付着して錆びが発生したり、繰り返しの使用により刃先が潰れたりすると、カッターの切断性能が低下する可能性がある。
【０００７】
（２）取扱い作業性の問題
ケース本体が紙製であるため、水や油を含むと強度低下し易く、ケース本体が変形したり潰れてしまうと、容器としての収容機能を果たさなくなるばかりでなく、ラップフィルムを回転させながら引き出して切断するという一連の作業が容易に行なえなくなり、ラップフィルムの取扱い作業性が悪くなる。
【０００８】
（３）リサイクル性の問題
ケース内部に収容されているラップフィルムを全部使い切ってしまうと、通常残されたケースはすべてゴミとして廃棄されることから環境的に好ましくなく、仮にケースをリサイクルしようとする場合、紙製のケース本体から金属製のカッターを取り外す作業が必要となり、リサイクルコストがかかる。
【０００９】
【発明が解決しようとする課題】
本発明は、上記のような問題点に鑑みてなされたものであり、その目的とするところは、安全性と取扱い作業性を向上させるとともに、リサイクル性に優れたラップフィルム収容ケースを提供することにある。
【００１０】
【課題を解決するための手段】
上記目的を達成するために、本発明に係るラップフィルム収容ケースは、巻芯にラップフィルムがロール状に巻装されたラップフィルムロールを内部に収容するケース本体と、ケース本体に開口され、ケース本体内部のラップフィルムをケース本体外部へと引き出すためのフィルム引出口と、ケース本体に回動可能に連結され、フィルム引出口を開閉するフタと、フタの開口側縁部に設けられ、フィルム引出口から引き出されたラップフィルムをその幅方向に切断するカッターと、フタの外壁面に回動自在に支持され、カッターの刃部を覆い隠すとともにフタとケース本体とを固定する機能を有するカバーと、を具備することを特徴とする。
【００１１】
ここで、カバーは、カバーとフタとの接合面に形成された凸条のクリック機構により、カバーのフタに対する開閉いずれの状態においても所定の角度で保持される構造を採用することができる。
【００１２】
このように、本発明に係るラップフィルム収容ケースによれば、ラップフィルムの交換時および保管時のいずれの状態においても、カッターの刃部はカバーによって隠蔽されているため、誤って指先を傷付けたりする恐れもなく、非常に安全に取り扱うことができる。
【００１３】
また、ケース本体は、内部側壁面の対向する位置に膨出成形された一対のボス部によりラップフィルムロールを回転可能に支持する構造とすることもできる。この場合、ボス部の形状が、ケース本体底面側が切り欠かれた半円状に形成されていると、ラップフィルムロールの脱着操作を容易に行なうことができる。
【００１４】
さらに、ケース本体は、ラップフィルムがケース本体内に戻ることを防止するために、ケース本体の開口側縁部にラップフィルムを貼着させておくストッパー機能を有していても良い。この場合、ケース本体には、その開口側縁部の中央に略半円状に切り欠かれた指抜部が設けられていると、貼着されたラップフィルムの先端部を摘み易くなるので好都合である。
【００１５】
また、本発明に係るラップフィルム収容ケースは、カッターがフタに対して着脱可能に装着されていることを特徴とするものである。
【００１６】
ここで、カッターとフタとの着脱構造は、貫通孔が形成されたカッターと、カッターの片面側に配置され、貫通孔を挿通する突起部を有するプレートと、カッターの反対面側に配置され、貫通孔から突出した突起部先端に嵌合する受け孔を有するフタと、を有する構造が考えられる。この場合、カッターは、ラップフィルムの全幅以上の長さを有する長尺状に成形され、その刃部がカッター本体の全長に沿って両側に設けられていると、使用により一方の刃部の切断性能が低下した場合に他方の刃部に容易に交換でき、リサイクル性が向上するとともに、常に切れ味の良い刃部でラップフィルムを切断できる。
【００１７】
なお、ラップフィルム収容ケースの材料は、カッターを金属製とし、それ以外の構成部品は合成樹脂製とすることで、水に濡れても強度低下することがなく、繰り返し何度でも使用できるため、リサイクル性に優れたものとなる。
【００１８】
【発明の実施の形態】
以下、本発明に係るラップフィルム収容ケースの実施の形態について、添付図面を参照しながら詳細に説明する。
【００１９】
図１は本発明に係るラップフィルム収容ケースの全体構造を示す外観斜視図である。同図に示すように、このラップフィルム収容ケースＣは、中空円筒型の巻芯１にラップフィルムＦがロール状に巻装されたラップフィルムロールＲを収容するケースであって、ケース本体１０、フタ２０、カッターユニット３０、およびカバー４０を具備して構成されている。
【００２０】
ケース本体１０は、直方体の箱型形状に成形され、その上部壁面が全面開口されてなり、ラップフィルムロールＲを収容する内部空間を有している。ケース本体１０の内部空間には、図２に示すように、ラップフィルムロールＲを回転可能に支持する構造として、内部側壁面の対向する位置に一対のボス部１１，１２が膨出成形されている。
【００２１】
ボス部１１，１２間の間隔Ｌ１は、ラップフィルムロールＲの全長Ｌ２よりも短く設定されているが、ボス部１１，１２が形成された内部側壁面を所定の力で外側に押し拡げれば、ケース本体１０は弾性変形し、ボス部１１，１２間の間隔Ｌ１はラップフィルムロールＲの全長Ｌ２よりも長くなる。この状態で巻芯１の中空部２内にケース本体１０のボス部１１，１２を挿入すれば、ラップフィルムロールＲをケース本体１０に装着することができ、ラップフィルムロールＲはボス部１１，１２を軸としてケース本体１０内部で回転可能に支持される。
【００２２】
なお、本実施形態において、ボス部１１，１２の形状はケース本体１０底面側が切り欠かれた半円状であり、全円状の場合に比べてラップフィルムロールＲの脱着操作が容易にできる構造となっている。
【００２３】
ケース本体１０の上面開口部は、ケース本体１０内部に収容されたラップフィルムロールＲからラップフィルムＦをケース本体１０外部へと引き出すためのフィルム引出口１３となっている。フィルム引出口１３は、ケース本体１０に連結された一回り大きなサイズのフタ２０を覆い被せることにより開閉でき、ケース本体１０とフタ２０とは両者の連結部を支点として回動可能に結合されている。
【００２４】
ケース本体１０のフィルム引出口１３から引き出されたラップフィルムＦは、フタ２０側に設けられたカッターユニット３０により所望の長さに切断されるが、カッターユニット３０はフタ２０に対して着脱可能に装着できる構造が採用されている。図３に示すように、カッターユニット３０は、カッター３１とプレート３５の２部品で構成されている。
【００２５】
カッター３１は、ラップフィルムＦの全幅以上の長さを有する長尺状に成形され、カッター本体部３１ａの全長に沿って両側に鋸刃状の刃部３３，３４が形成されるとともに、カッター本体部３１ａの長手方向に沿って複数の貫通孔３２，３２，…が設けられている。これら複数の貫通孔３２は、カッター本体部３１ａの中央に所定ピッチで一列に配置されている。
【００２６】
プレート３５は、カッター３１の形状に合わせて長尺状に成形され、プレート本体部３５ａの長手方向に沿って複数の突起部３６，３６，…が設けられている。これら複数の突起部３６は、カッター３１の貫通孔３２に各々対応するように所定ピッチで形成され、プレート本体部３５ａの中央から側辺に向かって少しずれた位置に一列に配置されている。
【００２７】
そして、カッター３１の貫通孔３２にプレート３５の突起部３６をそれぞれ嵌め込むと、カッター３１とプレート３５が一体化されてカッターユニット３０となる。カッターユニット３０は、プレート３５の突起部３６が中央からずれた位置に配列されていることから、カッター３１の一方側の刃部３３がプレート３５の側辺から突出して使用可能な状態となり、カッター３１の他方側の刃部３４がプレート３５の側辺から引っ込んで使用不可能な状態となる。
【００２８】
一方、図４に示すように、フタ２０の開口側縁部の内側には複数の受け孔２１，２１，…が設けられており、これら複数の受け孔２１は、プレート３５の突起部３６に各々対応するように所定ピッチで一列に配置されている。そして、フタ２０の受け孔２１に、カッター３１の貫通孔３２から所定量突出したプレート３５の突起部３６の先端を嵌め込むと、カッターユニット３０がフタ２０に着脱可能に装着される。
【００２９】
次に、カバー４０とフタ２０との結合構造について、図５乃至図７を参照しながら説明する。カバー４０はフタ２０に対して回動自在に支持され、カバー４０は、フタ２０とケース本体１０とを固定する機能と、フタ２０に装着されたカッターユニット３０を隠蔽する機能の両機能を備えている。
【００３０】
図５および図６に示すように、カバー４０は、少なくともカッターユニット３０を構成するカッター３１の刃部３３，３４を全て覆い隠す大きさに成形されており、カバー４０とフタ２０との結合構造は、カバー４０がフタ２０に対して回動可能となるようにヒンジ支持構造が採用されている。フタ２０の外壁面２０ａには複数のヒンジピン２２，２２，…が設けられ、これに対してカバー４０の長側辺の一方側にはヒンジピン２２を挿入する断面Ｃ字状の複数の中空円筒部４１，４１，…が形成されており、ヒンジピン２２の円周上を中空円筒部４１で抱き込むように結合することにより、カバー４０がフタ２０に対してヒンジピン２２を軸に回動可能に支持される。
【００３１】
カバー４０にはクリック機構が設けられており、カバー４０がフタに対して開状態、閉状態のいずれの状態においても所定の角度で保持できる構造となっている。図５および図７に示すように、カバー４０とフタ２０との接合面には、カバー４０に形成された複数の中空円筒部４１，４１間に、先端が面取りされた複数の凸条４２，４２，…が突出形成されている。これら複数の凸条４２の先端部４２ａは、フタ２０の外壁面２０ａに当接してカバー４０の揺動を所定の回転角度の範囲内において制限する。つまりカバー４０を回動操作すると、凸条４２と外壁面２０ａとにより画成される角度が９０°（図７中、（イ）の位置）に到達したところで凸条４２の先端部４２ａがフタ２０の外壁面２０ａに当接して一時的に抵抗が与えられ、さらに回転方向に僅かな力を加えると、凸条４２は、接触しているフタ２０の外壁面２０ａを押し下げて反対側へと乗り越えることが可能となり、乗り越える際に「カチッ」という一定のクリック感が得られるようになっている。
【００３２】
カバー４０は、フィルム引出口１３を閉じた状態でケース本体１０とフタ２０とを固定する機能を備えている。カバー４０の長側辺の他方側、つまりヒンジ支持構造の反対側には、その長手方向に沿って長尺状の係止フック４３が形成されている。これと対向するケース本体１０の底部には、カバー４０の係止フック４３が係着される長尺状の係止溝１４が形成されている。
【００３３】
ラップフィルム収容ケースＣは、例えばラップフィルムロールＲが逆回転する等の要因によって発生するラップフィルムＦのケース本体１内への巻き戻りを防止する機能を有している。図８に示すように、ケース本体１０外部の開口側縁部には、ラップフィルムロールＲから一旦引き出したラップフィルムＦの先端部を貼着しておくためのストッパーシール１５が貼付されている。ストッパーシール１５は、その表面がラップフィルムＦとの貼着・剥離の良好な素材からなり、繰り返し使用による表面摩耗でラップフィルムＦとの貼着力が弱くなったときには、ケース本体１０から剥がして新品のシールと交換できるようになっている。
【００３４】
なお、ケース本体１０には、開口側縁部の中央に略半円状に切り欠かれた指抜部１６が設けられており、指抜部１６によってストッパーシール１５に貼着されたラップフィルムＦの先端部を摘み易くなっている。
【００３５】
ここで、ラップフィルム収容ケースＣを構成する各構成部品の素材についてまとめて説明すると、カッターユニット３０を構成するカッター３１のみが金属製で、残りの全ての構成部品は、耐水性，耐熱性，およびその他の機械的強度を備えた合成樹脂製とされている。
【００３６】
以上、ラップフィルム収容ケースの構成について説明したが、以下、ラップフィルム収容ケースの使用方法について図９および図１０を参照しながら説明する。図９はラップフィルム保管時の状態をラップフィルム収容ケース側面から見た平面図、図１０はラップフィルム使用時の状態をラップフィルム収容ケース側面から見た平面図である。
【００３７】
まず、図９に示すように、ラップフィルム保管時には、ケース本体１０のフィルム引出口１３をフタ２０で閉じた状態とし、フタ２０とケース本体１０とを固定する必要がある。
【００３８】
フタ２０とケース本体１０とを固定するためには、カバー４０を回動操作してカバー４０の係止フック４３を内側に向け、カバー４０をフタ２０に対して閉じた状態とする。この状態でフタ２０の上面とケース本体１０の底面とを所定の力で挟み付けると、カバー４０の係止フック４３がケース本体１０の底面よりも下方に位置し、係止フック４３をケース本体の係止溝１４に引っかけることが可能となる。
【００３９】
次に、挟み付けていた力を解放すると、フタ２０はケース本体１０から離間する方向に弾性復帰し、フタ２０に装着されているカバー４０の係止フック４３とケース本体１０の係止溝１４とが堅固に係合される。
【００４０】
このようにして、フタ２０とケース本体１０とはフィルム引出口１３が閉じた状態で固定されるとともに、フタ２０に装着されたカッターユニット３０をカバー４０によって隠蔽することができる。
【００４１】
次に、図１０に示すように、ラップフィルム使用時には、フタ２０とケース本体１０との固定状態を解除してフィルム引出口１３を開状態にする必要がある。
【００４２】
フタ２０とケース本体１０との固定状態を解除するためには、上述した固定時とは逆の操作を行なえば良い。すなわち、フタ２０の上面とケース本体１０の底面とを所定の力で挟み付け、カバー４０の係止フック４３をフリーの状態とすることで、ケース本体１０底部の係止溝１４に係合されている係止フック４３を取り外すことが可能となる。
【００４３】
このようにして、フタ２０とケース本体１０との固定状態が解除されると、フタ２０を自在に回動操作することができるようになり、フタ２０を開けることでケース本体１０内部に収容されているラップフィルムロールＲを回転させながらラップフィルムＦをケース本体１０の外部に引き出すことができる。
【００４４】
ラップフィルムＦを使用する際には、ラップフィルムロールＲからラップフィルムＦを必要量だけ引き出した後、フタ２０の内側に装着されているカッター３１を使って所望の長さに切断すれば良い。
【００４５】
ところで、このラップフィルム収容ケースによれば、カッター３１の刃部に水分が付着して錆付いたり、繰り返しの使用で刃部が潰れたりして、カッター３１の切断性能が低下した場合には、新品のものと交換することができる。
【００４６】
カッター３１の交換作業は、図３および図４で説明した装着作業と逆の作業を行なえば良い。すなわち、プレート３５の一端を摘んで持ち上げて、フタ２０の受け孔２１からプレート３５の突起部３６を引き抜くことにより、プレート３５のすべての突起部３６，３６，…がフタ２０の受け孔２１，２１，…から抜き取られると、カッター３１とプレート３５からなるカッターユニット３０を取り外すことができる。
【００４７】
さらに、カッター３１の貫通孔３２からプレート３５の突起部３６を引き抜くことでカッター３１とプレート３５とを分離し、分離したカッター３１を裏返して図３で説明した手順でプレート３５に装着すれば、使用済みの刃部３３はプレート３５の側辺から引っ込んで使用不可能な状態となり、未使用の刃部３４がプレート３５の側辺から突出して使用可能な状態となる。カッター３１の刃部３３，３４の交換作業が完了したカッターユニット３０はフタ２０に装着されるが、この装着の作業手順は、図４で説明した手順と同様である。
【００４８】
なお、このラップフィルム収容ケースＣにあっては、カバー４０がフタ２０に対して閉じた状態において、フタ２０の内側に装着されたカッターユニット３０はカバー４０により完全に隠蔽されている。このため、フィルム引出口１３を開けてラップフィルムロールＲを交換する際や、カッターユニット３０のカッター３１を交換する際に、カッター３１の刃部３３，３４により指先を傷付けることなく、安全に交換作業を行なうことができる。
【００４９】
【発明の効果】
以上、詳細に説明したように、本発明に係るラップフィルム収容ケースによれば、以下のような効果を奏する。
【００５０】
（１）このラップフィルム収容ケースは、カバーがフタに対して閉じた状態において、フタの内側に装着されたカッターユニットがカバーにより完全に隠蔽されている。このため、フィルム引出口を開けてラップフィルムロールを交換する際や、カッターユニットのカッターを交換する際に、カッターの刃部により指先を傷付けることなく、非常に安全に交換作業を行なうことができる。
【００５１】
（２）このラップフィルム収容ケースは、プレートの突起部をカッターの貫通孔に挿入し、この突起部の突出先端をフタの内側に設けられた受け孔に嵌め込むだけの簡単な作業でカッターユニットの装着を行なうことができる。このため、カッターの切断性能が低下した場合であっても、カッターの刃部の交換を容易に行なうことができ、常に切れ味の良いカッターでラップフィルムを切断できるようになり、ラップフィルムの取扱い作業性が大幅に向上する。
【００５２】
（３）このラップフィルム収容ケースは、その材料として、カッターを金属製とし、それ以外の構成部品を合成樹脂製とすることで、水に濡れても強度低下することがなく、繰り返し何度でも使用が可能である。このため、水や油をよく使う厨房や台所での使用に好適であるとともに、リサイクル性に優れたものとなる。
【図面の簡単な説明】
【図１】本発明に係るラップフィルム収容ケースの全体構造を示す外観斜視図。
【図２】ケース本体内部の構造を示す部分断面図（図１のＩＩ−ＩＩ線断面図）。
【図３】カッターユニットの構造を示す拡大平面図。
【図４】カッターユニットとフタとの着脱構造を示す拡大断面図。
【図５】カバーとフタとの結合構造を示す拡大平面図。
【図６】カバーとフタとのヒンジ支持構造を示す部分断面図（図５のＶＩ−ＶＩ線断面図）。
【図７】カバーとフタとのクリック機構を示す部分断面図（図５のＶＩＩ−ＶＩＩ線断面図）。
【図８】ケース本体外部のストッパー構造を示す拡大平面図。
【図９】ラップフィルム保管時の状態をラップフィルム収容ケース側面から見た平面図。
【図１０】ラップフィルム使用時の状態をラップフィルム収容ケース側面から見た平面図。
【符号の説明】
１　　巻芯
２　　中空部
１０　　ケース本体
１１　　ボス部
１２　　ボス部
１３　　フィルム引出口
１４　　係止溝
１５　　ストッパーシール
１６　　指抜部
２０　　フタ
２０ａ　フタの外壁面
２１　　受け孔
２２　　ヒンジピン
３０　　カッターユニット
３１　　カッター
３１ａ　カッター本体部
３２　　貫通孔
３３　　刃部
３４　　刃部
３５　　プレート
３５ａ　プレート本体部
３６　　突起部
４０　　カバー
４１　　中空円筒部
４２　　凸条
４２ａ　凸条の先端部
４３　　係止フック
Ｃ　　　ラップフィルム収容ケース
Ｆ　　　ラップフィルム
Ｒ　　　ラップフィルムロール
Ｌ１　　ボス部間の間隔
Ｌ２　　ラップフィルムロールの全長
【図１】
2004123196.tif 000003
【図２】
2004123196.tif 000004
【図３】
2004123196.tif 000005
【図４】
2004123196.tif 000006
【図５】
2004123196.tif 000007
【図６】
2004123196.tif 000008
【図７】
2004123196.tif 000009
【図８】
2004123196.tif 000010
【図９】
2004123196.tif 000011
【図１０】
2004123196.tif 000012